(57)【特許請求の範囲】
【請求項１】
前端部が錠ケースの面座から突出可能であり、前方向及び後方向に移動可能に前記錠ケース内に設けられたデッドボルトと、該デッドボルトに連結されて前記錠ケース内に設けられており、該デッドボルトの前記前端部の突出に連動して前記面座から突出するように構成された鎌部材と、前記デッドボルトを前記前方向及び後方向に移動させるために回動駆動される駆動部材とを備えており、
前記駆動部材は、回動可能に支持された基部と、該基部から放射方向に伸長しており先端部に前記デッドボルトに設けられた凹部と係合する係合先端面を有する駆動アームとを備えており、
前記デッドボルトの前記凹部は、前記駆動アームの前記係合先端面が当接可能な第１の壁面と、該第１の壁面に滑らかに連続して傾斜する第２の壁面と有する前方壁を備えており、
前記駆動アームの前記係合先端面は、前記デッドボルトが後方向に押し込まれた際に、該デッドボルトの前記第１の壁面に当接かつ押圧されて該第１の壁面上を摺動し、さらに該第１の壁面から前記第２の壁面に移って該第２の壁面上を摺動するように構成されていることを特徴とする引戸用のデッドボルト型鎌錠。
【請求項２】
前記駆動アームの前記先端部に一端部が軸支され他端部が棒状に形成されたバネガイド部材と、該バネガイド部材の前記棒状の他端部が内部を貫通しており、圧縮による反発力を該バネガイド部材に与えるように構成されたコイルバネとを備えており、前記駆動部材が回動して前記駆動アームと前記バネガイド部材とが直線状に並んだ際に前記コイルバネが最も圧縮されるように構成されていることを特徴とする請求項１に記載のデッドボルト型鎌錠。
【請求項３】
前記錠ケース内に設けられており、回転運動により前記デッドボルトの凸部に係合可能であって係合した際に該デッドボルトの前記前方向の移動をロックするロック部材と、前記デッドボルトに沿って水平運動可能に前記錠ケース内に設けられており、前端部が前記面座から突出するように付勢されていると共に該前端部が該面座内に押し込まれた際の水平運動を前記ロック部材の回動運動に変換して該ロック部材の前記係合を解除するトリガー部材とをさらに備えていることを特徴とする請求項１又は２に記載のデッドボルト型鎌錠。
【請求項４】
前記デッドボルトの前記凸部がほぼ垂直か又は前方に傾斜した壁断面を有する前端壁と丸みを帯びた壁断面を有する後端壁とを備えており、前記ロック部材が、前記デッドボルトの前記前方向への移動においては前記凸部の前記前端壁に係止可能であり、前記デッドボルトの前記後方向への移動においては前記凸部の前記後端壁上を摺動可能である爪部を備えていることを特徴とする請求項３に記載のデッドボルト型鎌錠。
【請求項５】
前記爪部は、該爪部の頂点に向かって傾斜した面取り形状を有する第１の端縁と、前記頂点に向かってほぼ直角か又は前記第１の端縁と同方向に略傾斜した形状を有する第２の端縁とを備えていることを特徴とする請求項４に記載のデッドボルト型鎌錠。
【請求項６】
前記鎌部材は、後端部が前記錠ケースに軸支されており、先端部に鉤形状部を有していると共に中間部に前記デッドボルトに形成されたピンが貫通して摺動する長穴を有しており、前記デッドボルトの前記前方向への移動に連動して前記鉤形状部が回動して前記面座から突出するように構成されていることを特徴とする請求項１から５のいずれか１項に記載のデッドボルト型鎌錠。
【発明の詳細な説明】
【技術分野】
【０００１】
本発明は、引戸に用いるデッドボルト型鎌錠に関する。
【背景技術】
【０００２】
引戸用の鎌錠として、湾曲状部を備えたガイド用長溝部にガイド用ピンを係合させ摺動させることにより、先端に鉤形状部をもつ鎌部材を回動状態で前方に移動させて戸枠側の掛止部材に係止し、逆に、この鎌部材を回動状態で後方に移動させてこの係止を解除するように構成した鎌錠が知られている（例えば、特許文献１）。
【０００３】
また、鎌部材の途中に設けた長穴に挿通した連結ピンを一方の端部に有し、他方の端部が回動自在に錠ケースに連結されたリンクによって、先端に鉤形状部をもつ鎌部材を回動状態で前方に移動させて戸枠側の掛止部材に係止し、逆に、この鎌部材を回動状態で後方に移動させてこの係止を解除するように構成した鎌錠が知られている（例えば、特許文献２及び３）。
【０００４】
一方、引戸用のデッドボルト型鎌錠として、デッドボルトを水平方向に往復動することにより、このデッドボルトと連動する鎌部材を支軸を支点にして回動させて戸枠側の掛止部材に係止し、逆にこの係止を解除するように構成した鎌錠が知られている（例えば、特許文献４）。
【先行技術文献】
【特許文献】
【０００５】
【特許文献１】特許第３４９２９２８号公報
【特許文献２】特開２００４−１０７９８１号公報
【特許文献３】特許第４６４１９８９号公報
【特許文献４】特開２００９−０９１７２３号公報
【発明の概要】
【発明が解決しようとする課題】
【０００６】
特許文献４に記載されているごときデッドボルト型鎌錠によれば、特許文献１〜３に記載されているようなデッドボルトを備えていない鎌錠に比して、より確実で堅固な施錠が期待でき、こじ開けや切断などの破壊に対抗できる強度を得ることが可能となる。しかも、このデッドボルトに沿ってスライド自在に設けられているトリガー部材によって、引戸の閉鎖時以外はデッドボルトが駆動されて鎌が突出しないように作用するインターロック機能を備えることができる。
【０００７】
しかしながら、この特許文献４に記載されているような従来の引戸用のデッドボルト型鎌錠によると、引戸が開いている状態であっても、故意にトリガー部材を押し込めばインターロック機能を解除でき、この状態でデッドボルトが駆動されると、引戸が開いているのにデッドボルト及び鎌部材が突出されたままの状態となる。
【０００８】
この状態で引戸が閉成されると、鎌部材の先端が戸枠、柱若しくはその他の固定部材、又はこれらに設けられた掛止部材に衝突し、それらの表面に損傷が発生するのみならず、鎌錠自体が衝撃で壊れてしまうおそれが多分にある。
【０００９】
従って本発明の目的は、引戸が開いている状態でデッドボルト及び鎌部材が突出した状態となっていても、引戸を閉成した際にこれら突出したデッドボルト及び鎌部材による、戸枠、柱若しくはその他の固定部材、又はこれらに設けられた掛止部材の損傷発生を防止でき、さらに、デッドボルト及び鎌部材の破損も防止できる引戸用のデッドボルト型鎌錠を提供することにある。
【課題を解決するための手段】
【００１０】
本発明によれば、引戸用のデッドボルト型鎌錠は、前端部が錠ケースの面座から突出可能であり、前方向及び後方向に移動可能に錠ケース内に設けられたデッドボルトと、このデッドボルトに連結されて錠ケース内に設けられており、デッドボルトの前端部の突出に連動して面座から突出するように構成された鎌部材と、デッドボルトを前方向及び後方向に移動させるために回動駆動される駆動部材とを備えている。駆動部材は、回動可能に支持された基部と、基部から放射方向に伸長しており先端部にデッドボルトに設けられた凹部と係合する、望ましくは円弧状の、係合先端面を有する駆動アームとを備えており、デッドボルトのこの凹部は、駆動アームの係合先端面が当接可能な（望ましくはデッドボルトの移動方向と略垂直な）第１の壁面と、第１の壁面に滑らかに連続して傾斜する第２の壁面と有する前方壁を備えている。駆動アームの係合先端面は、デッドボルトが後方向に押し込まれた際に、デッドボルトの第１の壁面に当接かつ押圧されてこの第１の壁面上を摺動し、さらに第１の壁面から第２の壁面に移ってこの第２の壁面上を摺動するように構成されている。
【００１１】
デッドボルト及び鎌部材が面座から前方向に突出した状態で引戸を閉成した場合、デッドボルト及び鎌部材の先端が戸枠、柱若しくはその他の固定部材、又はこれらに設けられた掛止部材に当接して押圧されることから、デッドボルトには後方向へ押し戻す力が印加される。これにより、デッドボルトの凹部における第１の壁面が駆動アームの係合先端面に当接かつ押圧されてこの第１の壁面上を摺動するため、駆動アームは反時計方向に回動し始め、デッドボルトは後方向に移動し始める。第２の壁面が第１の壁面に滑らかに連続して傾斜しているため、しかも、望ましくは駆動アームの係合先端面が円弧状の周端面を構成しているため、この係合先端面は第１の壁面から第２の壁面に移ってこの第２の壁面上を摺動する。即ち、駆動アーム、従って回動部材はさらに反時計回りに回動する。これにより、デッドボルトはさらに後方向に移動して錠ケース内に収納され、鎌部材もそれに連動して回動し錠ケース内に収納される。
【００１２】
なお、本明細書において、「前」及び「前方」とはデッドボルト型鎌錠の面座（フロント）により近い位置（図１において左側の位置）を意味しており、「前方向」とは「前」に向かう方向、「後」及び「後方」とはデッドボルト型鎌錠の面座からより遠い位置（図１において右側の位置）を意味しており、「後方向」とは「後」に向かう方向をそれぞれ意味している。また、「上方」とはデッドボルト型鎌錠を戸板に取り付けた際に上側となる位置（図１において上側の位置）を意味しており、「上端」及び「上縁」とは「上方」の端及び縁をそれぞれ意味しており、「下方」とはデッドボルト型鎌錠を戸板に取り付けた際に下側となる位置（図１において下側の位置）を意味しており、「下端」及び「下縁」とは「下方」の端及び縁をそれぞれ意味している。
【００１３】
駆動アームの先端部に一端部が軸支され他端部が棒状に形成されたバネガイド部材と、バネガイド部材の棒状の他端部が内部を貫通しており、圧縮による反発力をバネガイド部材に与えるように構成されたコイルバネとを備えており、駆動部材が回動して駆動アームとバネガイド部材とが直線状に並んだ際にコイルバネが最も圧縮されるように構成されていることも好ましい。コイルバネの圧縮による反発力が、駆動アームとバネガイド部材とが直線状に並んだ際に最大となり、駆動アームがさらに回動すると、反発力が徐々に低下する。この後半の反発力が回動方向と同じ方向へ付勢する力となるため、後半は回動が容易になる。即ち、前半は回動方向と逆の方向への力が印加され、駆動アームとバネガイド部材とが直線状に並ぶまでその力が増大し、直線状に並んだ後の後半は回動方向と同じ方向の大きな力が印加され、その力が徐々に低下していく。その結果、非常に快適な回動動作で施錠又は解錠動作を行うことができる。
【００１４】
錠ケース内に設けられており、回転運動によりデッドボルトの凸部に係合可能であって係合した際にデッドボルトの前方向の移動をロックするロック部材と、デッドボルトに沿って水平運動可能に錠ケース内に設けられており、前端部が面座から突出するように付勢されていると共にこの前端部が面座内に押し込まれた際の水平運動をロック部材の回動運動に変換してロック部材の係合を解除するトリガー部材とをさらに備えていることも好ましい。インターロック機能を、トリガー部材の水平運動をロック部材の回転運動に変換することによって達成している。この水平運動と回転運動との変換効率は、回動運動を行うロック部材のアーム長さによって自在に変更可能であるため、設計の自由度が非常に高く、極めて小さい水平運動ストロークであってもインターロックの実施及び解除を確実に行うことが可能となる。
【００１５】
この場合、デッドボルトの凸部がほぼ垂直か又は前方に傾斜した壁断面を有する前端壁と丸みを帯びた壁断面を有する後端壁とを備えており、ロック部材が、デッドボルトの前方向への移動においては凸部の前端壁に係止可能であり、デッドボルトの後方向への移動においては凸部の後端壁上を摺動可能である爪部を備えていることがより好ましい。さらにこの場合、爪部は、この爪部の頂点に向かって傾斜した面取り形状を有する第１の端縁と、頂点に向かってほぼ直角か又は第１の端縁と同方向に略傾斜した形状を有する第２の端縁とを備えていることがより好ましい。爪部の第１の端縁が、頂点に向かって傾斜した面取り形状を有しており、凸部の後端壁が丸みを帯びた円弧状の壁断面を有しているため、この爪部は凸部の後端壁上をスムーズに摺動してこれを容易に乗り越えてインターロック位置に戻ることができる。従って、異常状態からデッドボルトが後方に押し込まれた際にも、ロック部材はスムーズに正常な位置に戻り、インターロックを回復することができる。
【００１６】
鎌部材は、後端部が錠ケースに軸支されており、先端部に鉤形状部を有していると共に中間部にデッドボルトに形成されたピンが貫通して摺動する長穴を有しており、デッドボルトの前方向への移動に連動して鉤形状部が回動して面座から突出するように構成されていることも好ましい。このような構成とすることにより、鎌部材の前端が回動した施錠状態においても、デッドボルトの前端より前方向に突出しないように構成することが可能であり、これにより、鎌部材のみが戸枠、柱、若しくはその他の固定部材、又はこれらに設けられた掛止部材に押し当たってこの鎌部材が損傷するようなことはない。
【発明の効果】
【００１７】
本発明によれば、デッドボルト及び鎌部材が面座から前方向に突出した状態で引戸を閉成した場合にも、デッドボルト及び鎌部材が戸枠の押圧力により後方向に移動して錠ケース内に収納されるので、デッドボルト及び鎌部材による戸枠側の損傷発生を防止でき、さらに、デッドボルト及び鎌部材の破損も防止することができる。
【図面の簡単な説明】
【００１８】
【図１】本発明の引戸用のデッドボルト型鎌錠の一実施形態における全体の構成を概略的に示す、（Ａ）及び（Ｂ）側面図である。
【図２】図１の実施形態における面座を掛止部材側から見た平面図である。
【図３】図１の実施形態におけるデッドボルトの構成を示す、（Ａ）側面図、（Ｂ）正面図、及び（Ｃ）底面図である。
【図４】図１の実施形態における駆動部材の構成を示す、（Ａ）正面図、（Ｂ）側面図、及び（Ｃ）底面図である。
【図５】図１の実施形態におけるバネガイド部材の構成を示す正面図である。
【図６】図１の実施形態におけるトリガー部材の構成を示す正面図である。
【図７】図１の実施形態におけるロック部材の構成を示す正面図である。
【図８】図１の実施形態において、デッドボルトの凹部と駆動アームの係合先端面との係合動作を説明する図である。
【図９】図１の実施形態において、デッドボルトの凸部とロック部材の第１のアーム部の爪部との係合動作を説明する図である。
【発明を実施するための形態】
【００１９】
図１は引戸用のデッドボルト型鎌錠の一実施形態における全体の構成を概略的に示しており、（Ａ）はデッドボルトが錠ケース内に収容されている通常の解錠状態、（Ｂ）はデッドボルトが錠ケースから突出している通常の施錠状態をそれぞれ示している。
【００２０】
同図において、１０は戸板内に設置される例えば鋼板又はステンレス板製の錠ケース、１１は錠ケース１０の前面板上に固着されている例えば鋼板又はステンレス板製の面座（フロント）をそれぞれ示している。この面座１１は、戸板を施錠する相手であり図示されていない戸枠、柱、若しくはその他の固定部材、又はこれらに設けられた掛止部材（受座）に対向している。
【００２１】
図２にはこの面座１１の構成が掛止部材側から示されている。この面座１１は長方形状の鋼板からなり、デッドボルト用の開口１１ａ、トリガー部材用の開口１１ｂ、ぶれ防止案内ピン用の開口１１ｃ、鎌錠を戸板に取り付けると共に面座１１を錠ケース１０に固定する取り付けネジ用の貫通穴１１ｄ及び１１ｅ、並びに錠ケース１０の前面板に設けられた嵌合穴に嵌合する突起１１ｆ及び１１ｇが設けられている。
【００２２】
錠ケース１０内には、デッドボルト１２と、このデッドボルト１２の先端部にデッドボルト１２の２枚の平板部間に挟まれた状態でこのデッドボルト１２に連結された鎌部材１３と、例えばサムターンやレバーハンドル等が同軸に連結される回動部材１４と、この回動部材１４を回動可能な状態で錠ケース１０に取り付けるためのハブプレート１５と、引戸の閉鎖時以外はデッドボルト１２及び鎌部材１３が突出しないようにインターロック機能を与えるためのトリガー部材１６及びロック部材１７と、デッドボルト１２の前後方向の移動時に反発力を付与するバネガイド部材１８及びそのコイルバネ１９と、ぶれ防止案内ピン２０及びそのコイルバネ２１とが設けられている。デッドボルト１２及び鎌部材１３は互いに連結されて、いわゆる「デッドカマ」を構成している。
【００２３】
図３にはデッドボルト１２の構成が（Ａ）側面図、（Ｂ）正面図、及び（Ｃ）底面図で示されている。図１及び図３に示すように、本実施形態において、デッドボルト１２は、１枚の鋼板又はステンレス板を折り曲げ加工してコ字状断面を有するように形成されている。即ち、デッドボルト１２は、上端の一部に連結部を有し、間に鎌部材１３が挿通されるように間隔を置いて互いに平行に配置された２枚の平板部を有する折り曲げ板部材として構成されている。このデッドボルト１２の後端部の上縁には回動部材１４が係合する凹部１２ａが２枚の平板部にそれぞれ形成されており、その下縁にはロック部材１７が係合する凸部１２ｂが２枚の平板部の一方に形成されており、中央部には案内ピン２２が挿通される貫通穴１２ｃが２枚の平板部にそれぞれ形成されており、さらに、この貫通穴１２ｃの前方には鎌部材１３の傾斜長穴１３ａを挿通して摺動する案内ピン１２ｄが２枚の平板部間に渡って設けられている。
【００２４】
案内ピン２２の両端部は錠ケース１０の両側板にそれぞれ形成された水平長穴１０ａと係合するように構成されており、この水平長穴１０ａに沿って案内ピン２２が案内されることにより、デッドボルト１２は、錠ケース１０に対して前方向及び後方向に移動可能となっており、その前端部が錠ケース１０の面座１１から前方に突出可能となっている。
【００２５】
鎌部材１３は、本実施形態では２枚の鋼板又はステンレス板を例えばスポット溶接等で接合した板材であり、先端部に鉤形状部を有している。この鎌部材１３は、その後端部の軸１３ｂにおいて、錠ケース１０に軸支されている。鎌部材１３に形成された傾斜長穴１３ａには、デッドボルト１２の案内ピン１２ｄが貫通して摺動するように構成されており、これによって、デッドボルト１２の前方向への移動に連動して鉤形状部１３ｃが軸１３ｂの回りを反時計方向に回動して面座１１から突出し、下方又は上方（本実施形態では下方）に回り込んで施錠が行われ、一方、デッドボルト１２の後方向への移動に連動して鉤形状部１３が軸１３ｂの回りを時計方向に回動して面座１１から錠ケース１０の内部に収容されて解錠が行われるように構成されている。鎌部材１３を１枚又は３枚以上の鋼板又はステンレス板から構成しても良いことはもちろんである。
【００２６】
なお、鎌部材１３の前端は、回動した施錠状態においても、デッドボルト１２の前端より前方向に突出しないように構成されている。
【００２７】
図３（Ｂ）に示されているように、デッドボルト１２の凹部１２ａの前側には、このデッドボルト１２の移動方向と略垂直な（デッドボルト１２の移動方向に対して約９０度の）第１の壁面１２ａ１と、この第１の壁面１２ａ１の下端に滑らかに連続して（デッドボルト１２の移動方向に対して約６０度で）傾斜する第２の壁面１２ａ２と有する前方壁が形成されている。この凹部１２ａの後側には、さらに、（デッドボルト１２の移動方向に対して約４５度で）傾斜した後方壁１２ａ３が形成されている。また、デッドボルト１２の凸部１２ｂの前側には、ほぼ垂直か又は凸部先端に向かって前方に傾斜した壁断面を有する前端壁１２ｂ１が形成されており、後方には丸みを帯びた円弧状の壁断面を有する後端壁１２ｂ２が形成されている。
【００２８】
図４には駆動部材１４の構成が（Ａ）正面図、（Ｂ）側面図、及び（Ｃ）底面図で示されている。図１及び図４に示すように、本実施形態において、駆動部材１４は、例えば亜鉛合金ダイカストで形成されており、図示しないサムターンやレバーハンドルと同軸に連結している角棒（図示なし）が挿入される角形穴１４ａと、この角形穴１４ａを中心に有しており回動可能に軸支された基部１４ｂと、この基部１４ｂから放射方向に伸長している単一の駆動アーム１４ｃとを備えており、２枚のハブプレート１５によって基部１４ｂの中心の回りを回動可能な状態で支持されている。
【００２９】
駆動アーム１４ｃの先端部には、バネガイド部材１８の一端部を軸支するための連結ピン２３が挿通される貫通穴１４ｄが形成されており、さらに、デッドボルト１２に設けられた２つの凹部１２ａの前方壁及び後方壁と係合する円弧状の周端面を構成する２つの係合先端面１４ｅが形成されている。前述したように、デッドボルト１２の凹部１２ａは、互いに平行に配置された２枚の平板部にそれぞれ形成されており、駆動アーム１４ｃの係合先端面１４ｅも、図４（Ｂ）に示すように、互いに平行に２つ配置されている。２つの凹部１２ａと２つの係合先端面１４ｅとがそれぞれ係合するように構成されているため、より安定したスムーズな係合動作を得ることができる。駆動アーム１４ｃの係合先端面１４ｅとデッドボルト１２の凹部１２ａの前方壁及び後方壁との係合動作については後述する。
【００３０】
図５にはバネガイド部材１８の構成が示されている。図１及び図５に示すように、本実施形態において、バネガイド部材１８は、例えば鋼板又はステンレス板で構成されており、その一端部に駆動アーム１４ｃに軸支されるべく連結ピン２３が挿通される貫通穴１８ａが形成されている。この貫通穴１８ａ及び駆動アーム１４ｃの貫通穴１４ｄに連結ピン２３を挿通させることにより、バネガイド部材１８は駆動アーム１４ｃの貫通穴１４ｄの中心を支点として回動可能となる。バネガイド部材１８の中間部にはコイルバネ１９を支える鍔部１８ｂが形成されており、その他端部側は棒状部１８ｃとなっている。バネガイド部材１８のこの棒状部１８ｃをコイルバネ１９に通し、その棒状部１８ｃの先端を錠ケース１０に固着されたバネ支持部材２４の貫通穴２４ａに挿入することによって、コイルバネ１９の両端が鍔部１８ｂとバネ支持部材２４とによって支持され、その圧縮による反発力をバネガイド部材１８に、従って回動部材１４に、さらにはデッドボルト１２に与えることが可能となる。このコイルバネ１９の反発力は、回動部材１４の回動位置に応じて変化し、駆動アーム１４ｃとバネガイド部材１８とが直線状に並んだ際にコイルバネ１９が最も圧縮されて反発力が最大となり、回動位置がこれよりどちらかにずれていくと、反発力が徐々に低下する。なお、バネ支持部材２４は、例えば鋼板又はステンレス板で形成されている。
【００３１】
図６にはトリガー部材１６の構成が示されている。図１及び図６にその一部が示されているが、本実施形態において、トリガー部材１６は、例えばアセタール樹脂等の樹脂を成型して形成されている。このトリガー部材１６の両側壁には水平長穴１６ａがそれぞれ形成されており、これら水平長穴１６ａに錠ケース１０に固着された案内ピン２５がそれぞれ係合している。案内ピン２５が水平長穴１６ａに沿って案内されることにより、トリガー部材１６は錠ケース内１０でデッドボルト１２に沿って移動可能となっており、その前端部１６ｂが錠ケース１０の面座１１から前方に突出可能となっている。トリガー部材１６の後端は、コイルバネ２６によって前方に常時付勢されている。従って、トリガー部材１６は、戸板が開いている間は、前端部１６ｂが面座１１から前方に突出するように構成されている。また、トリガー部材１６には、ロック部材１７の第２のアーム部１７ｃに係合する凹部１６ｄが設けられている。
【００３２】
図７にはロック部材１７の構成が示されている。図１及び図７に示すように、本実施形態において、ロック部材１７は例えば鋼板又はステンレス板で形成されている。ロック部材１７は、貫通穴１７ａ内に挿通され錠ケース１０に固定されている支軸ピン２７を支点として回動可能に構成されており、貫通穴１７ａから互いに異なる放射方向に伸長する第１のアーム部１７ｂと第２のアーム部１７ｃとを備えている。第１のアーム部１７ｂと第２のアーム部１７ｃとのなす角は９０度より小さく、本実施形態では、例えば約７０度である。第１のアーム部１７ｂはその先端に鉤状に曲がる爪部１７ｂ１が形成されており、この爪部１７ｂ１がデッドボルト１２の凸部１２ｂと係合するように構成されている。爪部１７ｂ１は、第１のアーム部１７ｂの伸長方向の先端側に位置する第１の端縁と後端側に位置する第２の端縁とを備えており、これら第１の端縁及び第２の端縁が爪部１７ｂ１の頂点において出合うように構成されている。第１の端縁は頂点に向かって第１のアーム部１７ｂの伸長方向の後端側に傾斜した面取り形状に構成されており、第２の端縁は頂点に向かって第１のアーム部１７ｂの伸長方向とほぼ直角か又はその後端側にやや傾斜した形状に構成されている。第２のアーム部１７ｃは、その先端部がトリガー部材１６の凹部１６ｄに係合するように構成されている。トリガー部材１６が水平方向に移動することにより、その凹部１６ｄによって第２のアーム部１７ｃの先端部が押圧されるため、このロック部材１７は支軸ピン２７を支点として回動するように構成されている。
【００３３】
第１のアーム部１７ｂの爪部１７ｂ１がデッドボルト１２の凸部１２ｂに係合することにより、引戸の閉鎖時以外はデッドボルト１２及び鎌部材１３の突出を阻止するインターロック機能が得られる。このように、本実施形態では、このインターロック機能を、トリガー部材１６の水平方向の運動をロック部材１７の回転運動に変換することによって達成している。この水平運動と回転運動との変換効率は、ロック部材１７の第１のアーム部１７ｂ及び第２のアーム部１７ｃのアーム長さによって自在に変更可能であるため、設計の自由度が非常に高く、極めて小さい水平運動ストロークであってもインターロックの実施及び解除を確実に行うことが可能である。
【００３４】
次に、本実施形態のデッドボルト型鎌錠の動作を説明する。
【００３５】
［通常の施錠動作］
引戸が開いている場合は、トリガー部材１６がコイルバネ２６の付勢により前方向に押し出され、これによりロック部材１７の第２のアーム部１７ｃが時計方向に押圧されているため、このロック部材１７全体が時計方向に付勢された状態となっている。これにより、ロック部材１７の第１のアーム部１７ｂの爪部１７ｂ１がデッドボルト１２の凸部１２ｂと係合した状態（図１（Ａ)に示すごとき状態）に維持され、インターロックされている状態となる。即ち、この状態では、デッドボルト１２が前方向には駆動できないロック状態となり、サムターンやレバーハンドルを回しても途中でロックされてしまう。
【００３６】
引戸が閉成され、トリガー部材１６の前端が戸枠、柱、若しくはその他の固定部材、又はこれらに設けられた掛止部材に押し当たると、トリガー部材１６はコイルバネ２６の付勢に反して後方向へ押し戻され、第２のアーム部１７ｃが反時計方向に押圧されるため、ロック部材１７全体が反時計方向に回動する。これによってロック部材１７の第１のアーム部１７ｂの爪部１７ｂ１とデッドボルト１２の凸部１２ｂとの係合が解除され、インターロックが解除される。即ち、この状態では、デッドボルト１２を前方向には駆動できる状態となり、サムターンやレバーハンドルを回すことが可能となる。
【００３７】
この引戸が閉じている状態でサムターンやレバーハンドルを回すことにより、回動部材１４が時計方向に回動すると、コイルバネ１９の圧縮による反発力を受けつつ回動が進み、駆動アーム１４ｃの係合先端面１４ｅがデッドボルト１２の凹部１２ａの前方壁に当接しこれを押圧することにより、デッドボルト１２が前方に移動し始め、その前端部が最終的に面座１１から突出する。デッドボルト１２の前方向への移動に連動して、デッドボルト１２の案内ピン１２ｄが鎌部材１３の傾斜長穴１３ａ内を摺動することにより、鎌部材１３が軸１３ｂの回りを反時計方向に回動し、その鉤形状部１３ｃが面座１１から突出し、下方に回り込んで掛止部材との施錠が行われる。この状態が図１（Ｂ)に示されている。なお、コイルバネ１９の圧縮による反発力は、駆動アーム１４ｃとバネガイド部材１８とが直線状に並んだ際に最大となり、駆動アーム１４ｃがさらに時計方向に回動すると、反発力が徐々に低下する。ただし、この後半の反発力は回動方向と同じ方向へ付勢する力となるため、回動が容易になる。即ち、施錠のためにサムターンやレバーハンドルを回すと、前半は回動方向と逆の方向への力が印加され、駆動アーム１４ｃとバネガイド部材１８とが直線状に並ぶまでその力が増大し、直線状に並んだ後の後半は回動方向と同じ方向の大きな力が印加され、その力が徐々に低下していく。その結果、非常に快適な回動動作で施錠を行うことができる。
【００３８】
［通常の解錠動作］
引戸が閉じている場合は、トリガー部材１６がコイルバネ２６の付勢に反して後方向へ押し戻されており、これによってロック部材１７の第１のアーム部１７ｂの爪部１７ｂ１とデッドボルト１２の凸部１２ｂとの係合が解除されているため、インターロックが解除されている。
【００３９】
この引戸が閉じている状態でサムターンやレバーハンドルを回すことにより、回動部材１４が反時計方向に回動すると、コイルバネ１９の圧縮による反発力を受けつつ回動が進み、駆動アーム１４ｃの係合先端面１４ｅがデッドボルト１２の凹部１２ａの後方壁に当接しこれを押圧することにより、デッドボルト１２が後方に移動し始め、その前端部が面座１１から引き込まれる。デッドボルト１２の後方向への移動に連動して、デッドボルト１２の案内ピン１２ｄが鎌部材１３の傾斜長穴１３ａ内を摺動することにより、鎌部材１３が軸１３ｂの回りを時計方向に回動し、その鉤形状部１３ｃが面座１１から引き込まれ、掛止部材との施錠が解除される。これにより引戸を開いた状態が図１（Ａ)に示されている。なお、施錠動作の場合と同様に、コイルバネ１９の圧縮による反発力は、駆動アーム１４ｃとバネガイド部材１８とが直線状に並んだ際に最大となり、駆動アーム１４ｃがさらに反時計方向に回動すると、反発力が徐々に低下する。ただし、この後半の反発力は回動方向と同じ方向へ付勢する力となるため、回動が容易になる。即ち、解錠のためにサムターンやレバーハンドルを回すと、前半は回動方向と逆の方向への力が印加され、駆動アーム１４ｃとバネガイド部材１８とが直線状に並ぶまでその力が増大し、直線状に並んだ後の後半は回動方向と同じ方向の大きな力が印加され、その力が徐々に低下していく。その結果、非常に快適な回動動作で解錠を行うことができる。
【００４０】
［デッドボルト及び鎌部材突出状態における引戸閉成時の動作］
引戸が閉じていない状態で、何らかの理由、例えばいたずら等により、トリガー部材１６の突出が押し込められると、ロック部材１７が反時計方向に回動するため、第１のアーム部１７ｂの爪部１７ｂ１はデッドボルト１２の凸部１２ｂから離れ、インターロックが解除される。この状態で、サムターンやレバーハンドルを施錠方向へ回すと、施錠時の動作と同様にデッドボルト１２が前方向に移動し、その前端部が面座１１から突出すると共に、鎌部材１３の鉤形状部１３ｃが面座１１から突出し、下方に回り込む。このようにデッドボルト１２及び鎌部材１３が突出した状態となった後は、トリガー部材１６の押し込みが止められてその前端部が突出した状態となっても、ロック部材１７の第１のアーム部１７ｂの爪部１７ｂ１がデッドボルト１２の凸部１２ｂから離れたままとなり、インターロックは解除されたままとなる。
【００４１】
このような引戸が開いているのにデッドボルト１２及び鎌部材１３が突出した異常状態時において、この引戸が閉成されると、デッドボルト１２及び鎌部材１３の前端が戸枠、柱、若しくはその他の固定部材、又はこれらに設けられた掛止部材に押し当たるが、本実施形態のデッドボルト型鎌錠では、鎌部材１３の前端が回動した施錠状態においても、デッドボルト１２の前端より前方向に突出しないように構成されているため、鎌部材１３のみが戸枠、柱、若しくはその他の固定部材、又はこれらに設けられた掛止部材に押し当たってこの鎌部材が損傷するようなことはない。特に、異常状態時に突出しているデッドボルト１２及び鎌部材１３が、戸枠、柱、若しくはその他の固定部材、又はこれらに設けられた掛止部材に押し当たり押圧されると、これらデッドボルト１２及び鎌部材１３が錠ケース１０内にスムーズに引き込められるように構成されていることにある。以下、この場合の動作について詳細に説明する。
【００４２】
図８は本実施形態において、デッドボルト１２の凹部１２ｂと駆動アーム１４ｃの係合先端面１４ｅとの係合動作を説明する図である。
【００４３】
通常状態時に、サムターンやレバーハンドルを解錠方向へ回して解錠する場合には、駆動アーム１４ｃの係合先端面１４ｅが、図８（Ａ）に示すようにデッドボルト１２の凹部１２ｂにおける後方壁の下方に当接して押圧し、さらに図８（Ｂ)に示すように、この後方壁に当接した状態で上方へ摺動する。これにより、デッドボルト１２が後方向に移動して解錠がなされるのである。
【００４４】
これに対して、前述のような異常状態時に、突出しているデッドボルト１２及び鎌部材１３の前端が押し込まれた場合、まず、図８（Ｃ）に示すように、デッドボルト１２の凹部１２ｂにおける前方壁の第１の壁面１２ａ１が駆動アーム１４ｃの係合先端面１４ｅに当接してこれを押圧する。第１の壁面１２ａ１がデッドボルト１２の移動方向と略垂直となっており、また、駆動アーム１４ｃの係合先端面１４ｅが円弧状の周端面を有しているため、係合先端面１４ｅは、第１の壁面１２ａ１に押されつつこの第１の壁面１２ａ１上を摺動し、これにより駆動アーム１４ｃが反時計方向に回動し始める。デッドボルト１２がさらに押し込まれると、図８（Ｄ）に示すように、駆動アーム１４ｃの係合先端面１４ｅは、第１の壁面１２ａ１からこの第１の壁面１２ａ１の下端に滑らかに連続して傾斜する第２の壁面１２ａ２上にスムーズに摺動して移動し、さらに、図８（Ｅ）に示すように、第２の壁面１２ａ２上を摺動していく。これにより、駆動アーム１４ｃが反時計方向にさらに回動して、デッドボルト１２及び鎌部材１３が完全に錠ケース１０内に収容され、図１（Ａ）に示すような解錠と同じ状態となる。
【００４５】
図９は、本実施形態において、デッドボルト１２の凸部１２ｂとロック部材１７の第１のアーム部１７ｂの爪部１７ｂ１との係合動作を説明する図である。
【００４６】
前述したような異常状態、即ち、デッドボルト１２が前方向に突出した状態でかつトリガー部材１６の前端部が突出した状態となると、図９（Ａ）に示すように、ロック部材１７の第１のアーム部１７ｂはデッドボルト１２の凸部１２ｂから離れたままとなり、インターロックは解除されたままとなる。この状態でデッドボルト１２が押し込まれ、後方に移動すると、図９（Ｂ）に示すように、第１のアーム部１７ｂの先端に設けられ鉤状に曲がる爪部１７ｂ１の第１の端縁が凸部１２ｂの後端壁１２ｂ２に当接する。爪部１７ｂ１の第１の端縁が爪部頂点に向かって第１のアーム部１７ｂの伸長方向の後端側に傾斜した面取り形状を有しており、凸部１２ｂの後端壁１２ｂ２が丸みを帯びた円弧状の壁断面を有しているため、この爪部１７ｂ１は凸部１２ｂの後端壁１２ｂ２上をスムーズに摺動し、その爪部頂点が、図９（Ｃ）に示すように凸部１２ｂの頂部を摺動してこれを乗り越え、その後、図９（Ｄ）に示すように、爪部１７ｂ１の第２の端縁が凸部１２ｂの前端壁１２ｂ１に当接する。爪部１７ｂ１の第２の端縁が爪部頂点に向かって第１のアーム部１７ｂの伸長方向とほぼ直角か又はその後端側にやや傾斜した形状を有しており、また、凸部１２ｂの前端壁１２ｂ１がほぼ垂直か又は前方に傾斜した壁断面となっているため、この状態で、ロック部材１７の第１のアーム部１７ｂは、デッドボルト１２の前方向への移動においては凸部１２ｂのこの前端壁１２ｂ１に係止してインターロックが実施される。
【００４７】
以上詳細に説明したように、本実施形態によれば、デッドボルト１２及び鎌部材１３が面座１１から前方向に突出した異常状態で引戸を閉成した場合、デッドボルト１２の前端、又はデッドボルト１２及び鎌部材１３の前端が、戸枠、柱若しくはその他の固定部材、又はこれらに設けられた掛止部材に当接して押圧されることから、デッドボルト１２には後方向へ押し戻す力が印加される。これにより、デッドボルト１２の凹部１２ａにおける第１の壁面１２ａ１が駆動アーム１４ｃの係合先端面１４ｅに当接して押圧するため、駆動アーム１４ｃは反時計方向に回動し始め、デッドボルト１２は後方向に移動し始める。凹部１２ａの第２の壁面１２ａ２が第１の壁面１２ａ１に滑らかに連続して傾斜しており、しかも駆動アーム１４ｃの係合先端面１４ｅが円弧状の周端面を構成しているため、この係合先端面１４ｅは第１の壁面１２ａ１から第２の壁面１２ａ２にスムーズに移ってこの第２の壁面１２ａ２上を摺動する。即ち、駆動アーム１４ｃ、従って回動部材１４はさらに反時計回りに回動する。これにより、デッドボルト１２はさらに後方向に移動して錠ケース１０内に収納され、鎌部材１３もそれに連動して回動し錠ケース１０内に収納される。これにより、デッドボルト１２及び鎌部材１３による戸枠側の損傷発生を防止でき、さらに、デッドボルト１２及び鎌部材１３自体の破損も防止することができる。
【００４８】
ロック部材１７については、デッドボルト１２の前端、又はデッドボルト１２及び鎌部材１３の前端が、戸枠、柱若しくはその他の固定部材、又はこれらに設けられた掛止部材に当接して押圧され、デッドボルト１２が後方に移動すると、第１のアーム部１７ｂの先端に形成された鉤状に曲がる爪部１７ｂ１の第１の端縁が、デッドボルト１２の凸部１２ｂの後端壁１２ｂ２に当接するが、爪部１７ｂ１のこの第１の端縁は頂点に向かって第１のアーム部１７ｂの伸長方向の後端側に傾斜した面取り形状を有しており、凸部１２ｂの後端壁１２ｂ２が丸みを帯びた円弧状の壁断面を有しているため、この爪部１７ｂ１は凸部１２ｂの後端壁１２ｂ２上をスムーズに摺動してその頂点が、凸部１２ｂの頂部を摺動してこれを容易に乗り越えてインターロック位置に戻ることができる。従って、異常状態からデッドボルト１２が後方に押し込まれた際にも、ロック部材１７はスムーズに正常な位置に戻り、インターロックを回復することができる。
【００４９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００５０】
１０  錠ケース
１０ａ、１６ａ  水平長穴
１１  面座
１１ａ  デッドボルト用の開口
１１ｂ  トリガー部材用の開口
１１ｃ  ぶれ防止案内ピン用の開口
１１ｄ、１１ｅ  取り付けネジ用の貫通穴
１１ｆ、１１ｇ  突起
１２  デッドボルト
１２ａ、１６ｄ  凹部
１２ａ１  第１の壁面
１２ａ２  第２の壁面
１２ａ３  後方壁
１２ｂ  凸部
１２ｂ１  前端壁
１２ｂ２  後端壁
１２ｃ、１４ｄ、１７ａ、１８ａ、２４ａ  貫通穴
１２ｄ、２２、２５  案内ピン
１３  鎌部材
１３ａ  傾斜長穴
１３ｂ  軸
１３ｃ  鉤形状部
１４  駆動部材
１４ａ  角形穴
１４ｂ  基部
１４ｃ  駆動アーム
１４ｅ  係合先端面
１５  ハブプレート
１６  トリガー部材
１６ｂ  前端部
１６ｃ  後端
１７  ロック部材
１７ｂ  第１のアーム部
１７ｂ１  爪部
１７ｃ  第２のアーム部
１８  バネガイド部材
１８ｂ  鍔部
１８ｃ  棒状部
１９、２１、２５、２６  コイルバネ
２０  ぶれ防止案内ピン
２３  連結ピン
２４  バネ支持部材
２７  支軸ピン
【図１】
0005814586.tif 000002
【図２】
0005814586.tif 000003
【図３】
0005814586.tif 000004
【図４】
0005814586.tif 000005
【図５】
0005814586.tif 000006
【図６】
0005814586.tif 000007
【図７】
0005814586.tif 000008
【図８】
0005814586.tif 000009
【図９】
0005814586.tif 000010